(57)【要約】本発明は、特に重荷重、好ましくは動的衝撃物、特に岩石をキャッチするための防護ネットから生じ、該防護ネットは、少なくとも大部分はネット要素（１０ａ〜ｆ）を相互に係合することにより形成される。防護ネットの主延在方向（１４ａ〜ｆ）に平行な防護ネットの最大全延在長さ（１２ａ〜ｆ）が、特にネット要素（１０ａ〜ｆ）の少なくとも１つの最外列（１６ａ〜ｆ）を含む防護ネットの外部領域（１８ａ〜ｆ）において、外部領域（１８ａ〜ｆ）とは異なる防護ネットの内部領域（２２ａ〜ｆ）における主延在方向（１４ａ〜ｆ）に平行な防護ネットの最小全延在長さ（２０ａ〜ｆ）よりも実質的に大きいことが提案される。
2020535338.tif 000002
【特許請求の範囲】
【請求項１】
特に重荷重、好ましくは動的衝撃物、特に岩石をキャッチするための防護ネットであって、
前記防護ネットは、少なくとも大部分は、ネット要素（１０ａ〜ｆ）を相互に係合することにより形成され、
前記防護ネットの主延在方向（１４ａ〜ｆ）に平行な前記防護ネットの最大全延在長さ（１２ａ〜ｆ）が、特にネット要素（１０ａ〜ｆ）のうちの少なくとも１つの最外列（１６ａ〜ｆ）を含む前記防護ネットの外部領域（１８ａ〜ｆ）において、前記外部領域（１８ａ〜ｆ）とは異なる前記防護ネットの内部領域（２２ａ〜ｆ）における前記主延在方向（１４ａ〜ｆ）に平行な前記防護ネットの最小全延在長さ（２０ａ〜ｆ）よりも実質的に大きい、防護ネット。
【請求項２】
前記防護ネットの前記主延在方向（１４ａ〜ｆ）に平行な前記防護ネットの前記最大全延在長さ（１２ａ〜ｆ）が、前記外部領域（１８ａ〜ｆ）において、前記外部領域（１８ａ〜ｆ）とは異なる前記内部領域（２２ａ〜ｆ）における前記主延在方向（１４ａ〜ｆ）に平行な前記防護ネットの前記最小全延在長さ（２０ａ〜ｆ）よりも、少なくとも前記防護ネットの前記ネット要素（１０ａ〜ｆ）の平均径の分だけ大きい、請求項１に記載の防護ネット。
【請求項３】
前記防護ネットの前記主延在方向（１４ａ〜ｆ）に平行な前記防護ネットの最大全延在長さ（７０ａ〜ｆ）が、前記外部領域（１８ａ〜ｆ）とは異なる前記防護ネットの別の外部領域（２６ａ〜ｆ）において、前記外部領域（１８ａ〜ｆ）とも前記別の外部領域（２６ａ〜ｆ）とも異なる前記防護ネットの前記内部領域（２２ａ〜ｆ）における前記主延在方向（１４ａ〜ｆ）に平行な前記防護ネットの前記最小全延在長さ（２０ａ〜ｆ）よりも大きい、請求項１または２に記載の防護ネット。
【請求項４】
前記ネット要素（１０ａ〜ｆ）が、前記防護ネットの主延長面（２８ａ〜ｆ）に対して少なくとも実質的に垂直である鏡面（３０ａ〜ｆ、３２ａ〜ｆ）に対して鏡面対称状に配列される、請求項１〜３のいずれか一項に記載の防護ネット。
【請求項５】
前記防護ネットの前記主延在方向（１４ａ〜ｆ）に平行な方向に、前記内部領域（２２ａ〜ｆ）よりも張り出している、前記防護ネットの少なくとも１つの部分領域（３４ａ〜ｆ、３６ａ〜ｆ、４２ａ〜ｆ、４４ａ〜ｆ）が、少なくとも４つのネット要素（１０ａ〜ｆ）を備える、請求項１〜４のいずれか一項に記載の防護ネット。
【請求項６】
前記防護ネットの主延在方向（１４ａ〜ｆ）に平行な方向に、前記内部領域（２２ａ〜ｆ）よりも張り出している、前記防護ネットの少なくとも１つの部分領域（３４ａ〜ｆ、３６ａ〜ｆ、４２ａ〜ｆ、４４ａ〜ｆ）が、前記防護ネットの前記主延在方向（１４ａ〜ｆ）に列状に並んで配列されているある数のネット要素（１０ａ〜ｆ）を備え、その数が、前記防護ネットの前記主延在方向（１４ａ〜ｆ）に対して垂直に並んで配列されているネット要素（１０ａ〜ｆ）の全列の最大数の少なくとも２０分の１に対応している、請求項１〜５のいずれか一項に記載の防護ネット。
【請求項７】
前記防護ネットの主延在方向（１４ａ〜ｆ）に平行な方向に、前記内部領域（２２ａ〜ｆ）よりも張り出している、前記防護ネットの少なくとも１つの部分領域（３４ａ〜ｆ、３６ａ〜ｆ、４２ａ〜ｆ、４４ａ〜ｆ）が、前記防護ネットの前記主延在方向（１４ａ〜ｆ）に対して垂直に列状に並んで配列されているある数のネット要素（１０ａ〜ｆ）を備え、その数が、前記防護ネットの前記主延在方向（１４ａ〜ｆ）に対して垂直に並んで配列されているネット要素（１０ａ〜ｆ）の全列の最大数の少なくとも１０分の１に対応している、請求項１〜６のいずれか一項に記載の防護ネット。
【請求項８】
前記防護ネットの主延在方向（１４ａ〜ｆ）に平行な方向に、前記内部領域（２２ａ〜ｆ）よりも張り出している、前記防護ネットの少なくとも１つの部分領域（３４ａ〜ｆ、３６ａ〜ｆ、４２ａ〜ｆ、４４ａ〜ｆ）が、少なくとも実質的に三角形配列（４６ａ〜ｆ）のネット要素（１０ａ〜ｆ）を備える、請求項１〜７のいずれか一項に記載の防護ネット。
【請求項９】
前記防護ネットの主延在方向（１４ｆ）に平行な方向に、前記内部領域（２２ｆ）よりも張り出している、前記防護ネットの少なくとも１つの部分領域（３４ｆ、３６ｆ、４２ｆ、４４ｆ）の少なくとも１つのネット要素（１０ｆ）が、前記部分領域（３４ｆ、３６ｆ、４２ｆ、４４ｆ）の外側のネット要素（１０ｆ）の平均外周から実質的に逸脱する外周（７２ｆ）を備える、請求項１〜８のいずれか一項に記載の防護ネット。
【請求項１０】
前記防護ネットの主延在方向（１４ａ〜ｆ）に平行な方向に、前記内部領域（２２ａ〜ｆ）よりも張り出している、前記防護ネットの少なくとも１つの部分領域（３４ａ〜ｆ、３６ａ〜ｆ、４２ａ〜ｆ、４４ａ〜ｆ）の少なくとも１つのネット要素（１０ａ〜ｆ）が、試行試験において、前記部分領域（３４ａ〜ｆ、３６ａ〜ｆ、４２ａ〜ｆ、４４ａ〜ｆ）の外側のネット要素（１０ａ〜ｆ）の平均引き裂き抵抗から実質的に逸脱する引き裂き抵抗を有する、請求項１〜９のいずれか一項に記載の防護ネット。
【請求項１１】
少なくとも１つのネット要素（１０ａ〜ｆ）が、所定の破断点（４０ａ〜ｆ）を備える、請求項１〜１０のいずれか一項に記載の防護ネット。
【請求項１２】
前記防護ネットの主延在方向（１４ｅ）に平行な方向に、前記内部領域（２２ｅ）よりも張り出している、前記防護ネットの少なくとも１つの部分領域（３４ｅ、３６ｅ、４２ｅ、４４ｅ）の少なくとも１つのネット要素（１０ｅ）が、少なくとも、前記部分領域（３４ｅ、３６ｅ、４２ｅ、４４ｅ）の外側の前記ネット要素（１０ｅ）の材料組成（１１４’ｅ）とは実質的に異なる材料組成（１１４ｅ）を有する、請求項１〜１１のいずれか一項に記載の防護ネット。
【請求項１３】
前記防護ネットの主延在方向（１４ｄ）に平行な方向に、前記内部領域（２２ｄ）よりも張り出している、前記防護ネットの少なくとも１つの部分領域（３４ｄ、３６ｄ、４２ｄ、４４ｄ）の少なくとも１つのネット要素（１０ｄ）が、少なくとも１つのワイヤ巻線（４８ｄ）を備え、そのワイヤ径（２４ｄ）は、前記部分領域（３４ｄ、３６ｄ、４２ｄ、４４ｄ）の外側のネット要素（１０ｄ）のワイヤ巻線（４８ｄ）の平均ワイヤ径よりも実質的に大きい、請求項１〜１２のいずれか一項に記載の防護ネット。
【請求項１４】
前記防護ネットの主延在方向（１４ｃ）に平行な方向に、前記内部領域（２２ｃ）よりも張り出している、前記防護ネットの少なくとも１つの部分領域（３４ｃ、３６ｃ、４２ｃ、４４ｃ）の少なくとも１つのネット要素（１０ｃ）が、少なくとも、前記部分領域（３４ｃ、３６ｃ、４２ｃ、４４ｃ）の外側のネット要素（１０ｃ）のワイヤ巻線の平均数から実質的に逸脱する、ある数のワイヤ巻線（４８ｃ）を備える、請求項１〜１３のいずれか一項に記載の防護ネット。
【請求項１５】
前記防護ネットの主延在方向（１４ｂ）に平行な方向に、前記内部領域（２２ｂ）よりも張り出している、前記防護ネットの少なくとも１つの部分領域（３４ｂ、３６ｂ、４２ｂ、４４ｂ）の少なくとも１つのネット要素（１０ｂ）が、少なくとも１つのエネルギー吸収材（５４ｂ）を備える、請求項１〜１４のいずれか一項に記載の防護ネット。
【請求項１６】
前記エネルギー吸収材（５４ｂ）が、前記少なくとも１つのネット要素（１０ｂ）と一体的に実現される、請求項１５に記載の防護ネット。
【請求項１７】
少なくとも１つのネット要素（１０ａ〜ｆ）が、隣接ネット要素（１０ａ〜ｆ）に対して確実に３つの連結領域（５６ａ〜ｆ、５８ａ〜ｆ、６０ａ〜ｆ）を実現する、請求項１〜１６のいずれか一項に記載の防護ネット。
【請求項１８】
請求項１〜１７のいずれか一項に記載の防護ネットを有する、ロープネット構造物（６２ａ〜ｆ）。
【請求項１９】
列状のネット要素（１０ａ〜ｆ）のうちの少なくとも３つおきのネット要素（１０ａ〜ｆ）を通して案内される少なくとも１本のガイドロープ（６４ａ〜ｆ、８４ａ〜ｆ）が、前記防護ネットの少なくとも１つの外縁（６６ａ〜ｆ、１１０ａ〜ｆ）上に、前記防護ネットの主延在方向（１４ａ〜ｆ）に平行に延びている、請求項１８に記載のロープネット構造物（６２ａ〜ｆ）。
【請求項２０】
前記ガイドロープ（６４ａ〜ｆ、８４ａ〜ｆ）が、少なくとも１本のサポートロープ（６８ａ〜ｆ）として実現される、請求項１９に記載のロープネット構造物（６２ａ〜ｆ）。
【請求項２１】
ロープネット構造物（６２ａ〜ｆ）におけるキャッチネット（７４ａ〜ｆ）としての、請求項１〜１７のいずれか一項に記載の、特に請求項１８〜２０のいずれか一項に記載の防護ネットの使用。
【発明の詳細な説明】
【技術分野】
【０００１】
本発明は、請求項１の上位概念部（プリアンブル）に記載の防護ネットに関する。
【背景技術】
【０００２】
岩石をキャッチするための防護ネットは既に提案されており、該防護ネットは、少なくとも大部分は、ネット要素を相互に係合することにより形成されている。
【発明の概要】
【発明が解決しようとする課題】
【０００３】
本発明の目的は、特に、安全性を高めた一般的な防護ネットを提供することにある。この目的は、請求項１の特徴部分によって本発明により達成されるが、本発明の有利な設計およびさらなる展開は、従属項に見出すことができる。
【課題を解決するための手段】
【０００４】
本発明は、特に重荷重、好ましくは動的衝撃物、特に岩石をキャッチするための防護ネットから生じ、該防護ネットは、少なくとも大部分は、ネット要素を相互に係合することにより形成される。
【０００５】
防護ネットの主延在方向に平行な防護ネットの最大全延在長さが、特にネット要素のうちの少なくとも１つの最外列を含む防護ネットの外部領域において、外部領域とは異なる防護ネットの内部領域における主延在方向に平行な防護ネットの最小全延在長さよりも特に実質的に大きいことが提案される。その結果、有利なことに、特に防護ネットに動的衝撃物をキャッチすることに関して、安全性の向上を可能にすることができる。有利な態様において、動的衝撃物を確実に捕捉できるキャッチエリアは、特に動的衝撃物の衝撃の後で、キャッチエリアを有利に大きくしておけることによって、拡大できる。有利な態様において、特に衝撃前にキャッチエリアが覆っていた領域において、動的衝撃物の衝撃による開位置および穴または開位置もしくは穴の形成を避けることができ、その結果として、有利なことに、衝撃後に起きるさらなる衝撃がある場合に、防護ネットを抜けて落下するさらなる動的衝撃物を防止できる。有利なことに、防護ネットが吊り下がる少なくとも１つの外縁に、追加のネット要素（特に荷重を受けたときに折れる）によって追加の緩衝路を生み出すことができ、その結果として、有利なことに、よりよい形で衝撃を和らげることができる。加えて、有利なことに、防護ネットの縁付近で、特に追加の緩衝路によって動的衝撃物の衝撃を吸収でき、特にそれによって防護ネットの吊り下げに対して起きうる損傷を軽減する。さらに、取り付けた状態の本発明による防護ネットによって、防護ネットを支える支持要素のあたりにネット要素を簡単に案内できるようになる。加えて、特に防護ネットと協働する力を、有利なことに、多数のネット要素に分散させられることによって、加えて、特に有利な、特に均一な、力の分散を達成できることによって、有利なことに、安定性も改善でき、その結果として、特に、少なくとも１つの動的衝撃物をキャッチするための防護ネットの少なくとも１つの捕捉特性、例えば、変形性、伸展性、跳ね返り特性、突き抜け強度等を最適化できる。加えて、本発明による防護ネットは、特に、単純化された組み立てを可能にし、その結果として、有利なことに、材料および組み立てまたは材料もしくは組み立てのコストおよび支出を削減できる。
【０００６】
「動的衝撃物」とは、特に、重力ポテンシャルの影響で動く質量として理解されるべきである。特に、動的衝撃物は、少なくとも１つの岩石、好ましくは礫（ｒｕｂｂｌｅ）および凍結水の両方または一方を含む。この代わりとして、またはそれに追加して、動的衝撃物は、（例えば交通手段および建設機械の両方もしくは一方の）マシンもしくはマシン部品、ならびに／または有機体もしくは有機体の一部（例えば、木の幹および枝の両方もしくは一方）も含むことができる。特に、「重荷重」とは、１ｋｇより重い、好ましくは１０ｋｇより重い、好適な態様では１００ｋｇより重い、特に好適な態様では１０００ｋｇより重い。「ネット要素」とは、特に、隣接ベース要素と相互に係合することによって、防護ネットを実現する防護ネットの、特に分離可能な、ベース要素として理解されるべきである。ネット要素は、好ましくは、それ自体閉じたフィラメント状構造、特にワイヤ構造として実現される。この代わりとして、ネット要素は、メッシュ網の少なくとも１つの螺旋体として実現できる。構造、特にワイヤ構造は、好ましくは非荷重状態で実質的に一平面上にある。フィラメント状構造、特にワイヤ構造、好ましくはワイヤ構造のワイヤは、好ましくは高強度鋼線である。例えば、高強度鋼は、ばね鋼および／またはワイヤスチールおよび／またはワイヤロープに適したスチールとすることができる。特に、ワイヤは、少なくとも８００Ｎｍｍ−２、有利なことには少なくとも１０００Ｎｍｍ−２、特に有利なことには少なくとも１２００Ｎｍｍ−２、好ましくは少なくとも１４００Ｎｍｍ−２、特に好適な態様では少なくとも１６００Ｎｍｍ−２の引張強さを備え、特に約１７７０Ｎｍｍ−２の引張強さまたは約１９６０Ｎｍｍ−２の引張強さを備える。ワイヤがさらに高い引張強さ、例えば、少なくとも２０００Ｎｍｍ−２または少なくとも２２００Ｎｍｍ−２またはさらに少なくとも２４００Ｎｍｍ−２の引張強さを備えることも考えられる。結果として、高い耐荷重性、特にメッシュに対する横方向の高引張強さおよび高度な剛性または高引張強さもしくは高度な剛性を達成できる。加えて、有利な曲げ特性も達成できる。ネット要素は、特に、少なくとも部分的に円形、菱形ならびに／または正多角形および／もしくは非正多角形の形を提供する非正則形または好ましくは正則形を備えることができる。特に、防護ネットのさまざまなネット要素は、さまざまな形を備えることができるが、好適な態様では、ネット要素は、実質的に同一の形を備える。好適な態様では、ネット要素は、リング、特にワイヤリングとして実現される。特に、ネット要素は、少なくとも部分的にリング網のネット部材を形成する。ネット部材は、特に、少なくとも１つのネット要素束を含むか、または好ましくは確実に１つの個別のネット要素を含む。ネット要素束は、特に、防護ネットにおいて実質的に同心状に重ねるために提供される複数のネット要素として理解されるべきである。ネット要素は、好ましくは３ｃｍ、好適な態様では少なくとも５ｃｍ、特に好適な態様では４０ｃｍ未満の少なくとも１つの径を備える。「大部分は」という用語は、特にこれに関連して、特に少なくとも８０％まで、好ましくは少なくとも９０％まで、好適な態様では少なくとも９５％まで、特に好適な態様では完全に、として理解されるべきである。「全延在長さ」とは、特に、防護ネットの対向に位置付けられる２つの最外縁間の延在長さとして理解されるべきである。物体の「主延在方向」とは、この場合、特に、物体をかろうじて完全に取り囲む最小の幾何学的直方体の最長の辺に平行に延びる方向として理解されるべきである。特に、任意のタイプの延在長さは、防護ネットを完全に平らな形で、特に、内部応力が全くなく広げた状態で測定されるように理解されるべきである。「ネット要素の最外列」とは、特に、少なくとも１つの共通辺に隣接ネット要素が全くないネット要素の、直線に沿って延びている列として理解されるべきである。外部領域は、特に、防護ネットの主延在方向に、少なくとも防護ネットの範囲全体にわたって、特に、特に最大全延在長さにわたって延びている。外部領域は、好ましくは、（好ましくは主延在方向に平行な）直線に沿って延びている少なくとも複数の、特に完全な、列のネット要素を含み、好適な態様では、（好ましくは主延在方向に平行な）直線に沿って延びている少なくとも２つの、特に完全な、列のネット要素を含み、特に好適な態様では、（好ましくは主延在方向に平行な）直線に沿って延びている少なくとも１つの、特に完全な、列のネット要素を含む。外部領域は、好ましくは、少なくとも１つの最外列のネット要素を含む。内部領域は、特に防護ネットの主延在方向に、少なくとも範囲全体にわたって、特に、防護ネットの特に最小全延在長さにわたって延びている。内部領域は、好ましくは、（好ましくは主延在方向に平行な）直線に沿って延びている少なくとも複数の、特に完全な、列のネット要素を含み、好適な態様では、（好ましくは主延在方向に平行な）直線に沿って延びている少なくとも２つの、特に完全な、列のネット要素を含み、特に好適な態様では、（好ましくは主延在方向に平行な）直線に沿って延びている少なくとも１つの、特に完全な、列のネット要素を含む。特に、内部領域及び外部領域は互いに重なり合わない。
【０００７】
防護ネットの主延在方向に平行な防護ネットの最大全延在長さが、外部領域において、外部領域とは異なる内部領域における主延在方向に平行な防護ネットの最小全延在長さよりも、少なくとも１つ、好ましくは少なくとも２つ、好適な態様では少なくとも３つのネット要素の平均径の分だけ大きいこと、および／または、少なくとも５％、好ましくは少なくとも１０％、好適な態様では少なくとも１５％、特に好適な態様では少なくとも２０％大きくすること、の両方または一方が追加で提案される。特に、特に防護ネットに動的衝撃物をキャッチすることに関し、防護ネットのこのような設計の結果として、安全性の向上を有利な態様で可能にすることができる。有利な態様において、動的衝撃物を確実に捕捉できるキャッチエリアは、特に動的物体の衝撃後にキャッチエリアを有利に大きくしておけるようにすることによって、サイズを大きくすることができる。有利なことに、ネット要素が吊り下がる少なくとも１つの外縁に、追加のネット要素（特に荷重を受けたときに折れる）によって追加の緩衝路を生み出すことができ、その結果として、有利なことに、よりよい形で衝撃を和らげることができる。「平均径」とは、特に、防護ネットの実質的に平面状に広がる方向から見たときのネット要素の平均的な直径として理解されるべきである。特に、防護ネットのうちの無作為に決定した複数の（好適な態様では全部の）ネット要素を使用して、平均径を計算する。個々のネット要素の径は、好ましくは、防護ネットの主延在方向に平行な径および防護ネットの主延在方向に垂直な径の平均、または、防護ネットの主延在方向に平行な径もしくは防護ネットの主延在方向に垂直な径の平均から計算する。ネット要素の「径」とは、好ましくは、ネット要素を完全に、特に防護ネットの主延在方向に含む最小の円の径として理解されるべきである。特に、広げられた防護ネットの形は、少なくとも１つの角の分だけ長方形の形から逸脱する。
【０００８】
防護ネットの主延在方向に平行な防護ネットの最大全延在長さが、外部領域とは異なるとともに特にネット要素の最外列とは異なるネット要素の少なくとも１つの別の最外列を特に含む防護ネットの別の外部領域において、外部領域とも別の外部領域とも異なる防護ネットの内部領域における主延在方向に平行な防護ネットの最小全延在長さよりも大きいことが追加で提案される。特に、防護ネットのこのような設計の結果として、有利なことに、特に防護ネットに動的衝撃物をキャッチすることに関して、安全性の向上を可能にすることができる。有利な態様において、動的衝撃物を確実に捕捉できるキャッチエリアは、拡大できる。有利なことに、ネット要素が吊り下がる少なくとも１つの外縁に、追加のネット要素（特に荷重を受けたときに折れる）によって追加の緩衝路を生み出すことができ、その結果として、有利なことに、特に動的衝撃物の衝撃後にキャッチエリアを有利に大きくしておけることによって、よりよい形で衝撃を和らげることができる。別の外部領域は、特に、防護ネットの主延在方向に、少なくとも範囲全体にわたって、特に防護ネットの特に最大全延在長さにわたって延びている。別の外部領域は、好ましくは、（好ましくは主延在方向に平行な）直線に沿って延びている少なくとも複数の、特に完全な、列のネット要素を含み、好適な態様では、（好ましくは主延在方向に平行な）直線に沿って延びている少なくとも２つの、特に完全な、列のネット要素を含み、特に好適な態様では、（好ましくは主延在方向に平行な）直線に沿って延びている少なくとも１つの、特に完全な、列のネット要素を含む。別の外部領域は、好ましくは、少なくとも１つの最外列のネット要素を含む。外部領域、別の外部領域および／または内部領域は、好ましくは、互いに対する重なりがない。別の外部領域は、好ましくは、防護ネットの主延在方向に対して垂直な方向に外部領域に含まれる外縁に対向して配置される、防護ネットの別の外縁を含む。特に、広げられた防護ネットの形は、特に少なくとも２つの角では、長方形の形から逸脱している。外部領域の、別の外部領域の、および／または内部領域の主延在方向は、好ましくは、防護ネットに平行な平面に、防護ネットの主延在方向に対して垂直に、および／または好適な態様では、平行に延びている。外部領域、別の外部領域および／または内部領域は、好ましくは、特に主延在方向に対して少なくとも部分的に傾斜するとともに少なくとも部分的に垂直に延びているかまたは少なくとも部分的に傾斜するかもしくは少なくとも部分的に垂直に延びている、防護ネットの少なくとも１つの側縁、好適な態様では、少なくとも２つの側縁を含む。
【０００９】
ネット要素が、防護ネットの主延長面に対して少なくとも実質的に垂直である鏡面と、防護ネットの主延在方向に少なくとも実質的に平行である鏡面と、の両方または一方に対して、鏡面対称状に配列されることも提案される。特に、防護ネットのこのような設計の結果として、有利なことに、特に防護ネットに動的衝撃物をキャッチすることに関して、安全性の向上を可能にすることができる。有利な態様において、動的衝撃物を確実に捕捉できるキャッチエリアは、特に、キャッチエリアを動的物体の衝撃後に有利に大きくしておけることによって、拡大できる。有利なことに、ネット要素が吊り下がる少なくとも１つの外縁に、追加のネット要素（特に荷重を受けたときに折れる）によって追加の緩衝路を生み出すことができ、その結果として、有利なことに、よりよい形で衝撃を和らげることができる。特に、広げられた防護ネットの形は、少なくとも４つの角の分だけ長方形の形から逸脱する。構造ユニットの「主延在方向」とは、特に、その構造ユニットをかろうじて完全に取り囲む最小の仮想直方体の最大の側面に平行であり、かつ特に、直方体の中心点を通る平面として理解されることとする。
【００１０】
防護ネットの主延在方向に平行な方向に、内部領域よりも、特に内部領域の全延在長さよりも張り出している、防護ネットの少なくとも１つの部分領域、特に防護ネットの外部領域が、少なくとも４つ、好ましくは少なくとも６つ、好適な態様では少なくとも９つ、特に好適な態様では少なくとも１２のネット要素を備えることが追加で提案される。特に、防護ネットのこのような設計の結果として、有利なことに、特に防護ネットに動的衝撃物をキャッチすることに関して、安全性の向上を可能にすることができる。有利な態様において、動的衝撃物を確実に捕捉できるキャッチエリアは、特にキャッチエリアを動的物体の衝撃後に有利に大きくしておけることによって、拡大できる。「防護ネットの主延在方向に平行な方向に、内部領域よりも張り出している、防護ネットの少なくとも１つの部分領域」という用語は、特に、外部領域として理解されるべきである。防護ネットの「外部領域」とは、特に、防護ネットによって完全に覆われる、防護ネットの、最大サイズの、長方形領域への重なり部分を形成する、防護ネットの少なくとも１つの部分領域として理解されるべきである。外部領域は、好ましくは、主延在方向に防護ネットの最小延在長さよりも張り出す、少なくとも１つのネット要素、好適な態様では複数のネット要素を含む。
【００１１】
防護ネットの主延在方向に平行な方向に、内部領域よりも、特に内部領域の全延在長さよりも張り出している、防護ネットの少なくとも１つの部分領域、特に防護ネットの外部領域が、防護ネットの主延在方向に列状に並んで配列されているある数のネット要素を備え、これは、防護ネットの主延在方向に対して垂直に並んで配列されているネット要素の全列の最大数の、少なくとも２０分の１、好ましくは少なくとも１５分の１、好適な態様では少なくとも１０分の１、特に好適な態様では少なくとも５分の１に対応することが追加で提案される。特に、防護ネットのこのような設計の結果として、有利なことに、特に防護ネットに動的衝撃物をキャッチすることに関して、安全性の向上を可能にすることができる。有利な態様において、動的衝撃物を確実に捕捉できるキャッチエリアは、特にキャッチエリアを動的衝撃物の衝撃後に有利に大きくしておけることによって、拡大できる。
【００１２】
防護ネットの主延在方向に平行な方向に、内部領域よりも、特に内部領域の全延在長さよりも張り出している、防護ネットの少なくとも１つの部分領域、特に防護ネットの外部領域が、防護ネットの主延在方向に対して垂直に列状に並んで配列されているある数のネット要素を備え、これは、防護ネットの主延在方向に対して垂直に並んで配列されているネット要素の全列の最大数の少なくとも１０分の１、好ましくは少なくとも８分の１、有利には少なくとも６分の１、好適な態様では少なくとも４分の１、特に好適な態様では少なくとも２分の１に対応することが追加で提案される。特に、防護ネットのこのような設計の結果として、有利なことに、特に防護ネットに動的衝撃物をキャッチすることに関して、安全性の向上を可能にすることができる。有利な態様において、動的衝撃物を確実に捕捉できるキャッチエリアは、特にキャッチエリアを動的衝撃物の衝撃後に有利に大きくしておけることによって、拡大できる。防護ネットの主延在方向に平行な方向に、内部領域よりも、特に内部領域の全延在長さよりも張り出している、防護ネットの部分領域において、防護ネットの主延在方向に対して垂直に列状に並んで配列されているネット要素の数は、好ましくは、部分領域で防護ネットの主延在方向に平行に列状に並んで配列されているネット要素の数の少なくとも半分、好ましくは少なくとも同数、好適な態様では少なくとも２倍に対応する。
【００１３】
防護ネットの主延在方向に平行な方向に、内部領域よりも、特に内部領域の全延在長さよりも張り出している、防護ネットの少なくとも１つの部分領域、特に防護ネットの外部領域が、少なくとも実質的に三角形配列のネット要素を備えることも提案される。特に、防護ネットのこのような設計の結果として、有利なことに、特に防護ネットに動的衝撃物をキャッチすることに関して、安全性の向上を可能にすることができる。有利な態様において、動的衝撃物を確実に捕捉できるキャッチエリアは、特にキャッチエリアを動的衝撃物の衝撃後に有利に大きくしておけることによって、拡大できる。三角形配列は、好ましくは、防護ネットの主延在方向に４５°未満の角度で先細になる、実質的に三角形の形を備える。この代わりとして、三角形の形は、実質的に二等辺三角形の形、および、防護ネットの主延在方向に４５°よりも大きい角度で収束する三角形の形、の両方または一方にすることもできる。
【００１４】
防護ネットの主延在方向に平行な方向に、内部領域よりも、特に内部領域の全延在長さよりも張り出している、防護ネットの少なくとも１つの部分領域、特に防護ネットの外部領域、のうちの少なくとも１つのネット要素が、部分領域の外側のネット要素の平均外周から実質的に逸脱する外周を備えることがさらに提案される。特に、結果として、荷重下にあるときに有利な防護ネットにおける力の分散を可能にすることができ、その結果として、特に、少なくとも１つの動的衝撃物をキャッチするための防護ネットの少なくとも１つの捕捉特性を最適化できる。加えて、有利なことに、安定性も高めることができる。ネット要素の「外周」とは、特に、ネット要素を構成するそれ自体閉じたフィラメントの、特に少なくとも１つの巻線の全長として理解されるべきである。リングの場合、外周は、円の円周に対応する。「平均外周」とは、特に、この状況において、防護ネットのネット要素の中から無作為に選択された複数の（好ましくは全部の）ネット要素を構成するそれ自体閉じたフィラメントの、特に巻線の、特に全長の、外周の平均値として理解されるべきである。「実質的に逸脱」とは、特に、この状況において、部分領域の外側のネット要素の平均外周から、少なくとも５０％、好ましくは少なくとも３０％、好適な態様では少なくとも２０％、特に好適な態様では少なくとも１０％、部分領域において逸脱している、少なくとも１つのネット要素の外周として理解されるべきである。特に、部分領域の全ネット要素は、実質的に同一な逸脱を備えることができる。この代わりとして、部分領域のネット要素は、少なくとも部分的に異なる逸脱を備える。部分領域のネット要素は、好ましくは、少なくとも部分的に、部分領域の外側のネット要素よりも少なくとも１０％大きいか、好ましくは少なくとも２０％大きいか、好適な態様では少なくとも３０％大きいか、または特に好適な態様では少なくとも５０％大きい。この代わりとして、またはそれに追加して、部分領域のネット要素は、少なくとも部分的に、部分領域の外側のネット要素よりも少なくとも５０％小さく、好ましくは少なくとも３０％小さく、好適な態様では少なくとも２０％小さく、または特に好適な態様では少なくとも１０％小さくすることができる。
【００１５】
防護ネットの主延在方向に平行な方向に、内部領域よりも、特に内部領域の全延在長さよりも張り出している、防護ネットの少なくとも１つの部分領域、特に防護ネットの外部領域、のうちの少なくとも１つのネット要素が、試行試験において、部分領域の外側のネット要素の平均引き裂き抵抗から実質的に逸脱する引き裂き抵抗を有することが追加で提案される。結果として、特に荷重下にあるとき、防護ネットにおける有利な力の分散を可能にすることができる。有利なことに、衝撃に対する、特に予想される衝撃に対するネットの反応を最適化でき、その結果として安全性を改善できる。「引き裂き抵抗」とは、特に、ネット要素が破断する前のネット要素の最大可能荷重として理解されるべきである。破断前の最大荷重は、好ましくは、試行試験において、適切な試験装置によって測定できる。試行試験では、試験用ネット要素に対して試験装置によって人工荷重をかける。試験用ネット要素は、部分領域に配列されるネット要素と同一のネット要素を提供する。特に、試験用ネット要素は、特に材料の品質の変動を考慮するために、ネット要素と同じ生産バッチからのものとする。試験用ネット要素にかける荷重を漸進的に増加すると、一定の力で試験用ネット要素の変形および破断または変形もしくは破断が生じる。破断に必要な最小の力の値が、引き裂き抵抗を決定する。「平均引き裂き抵抗」とは、特に、同一の設計および同一の生産バッチまたは同一の設計もしくは同一の生産バッチの複数の試験用ネット要素の平均的な引き裂き抵抗を意味することとする。「実質的な逸脱」とは、特に、この状況において、部分領域の外側のネット要素の平均引き裂き抵抗から、少なくとも５００％、好ましくは少なくとも３００％、有利には少なくとも１５０％、好適な態様では少なくとも５０％、特に好適な態様では少なくとも１０％逸脱している、部分領域の少なくとも１つのネット要素の引き裂き抵抗を意味することとする。特に、部分領域の全ネット要素は、実質的に同一の逸脱を備えることができる。この代わりとして、部分領域のネット要素の引き裂き抵抗は、少なくとも部分的に異なる逸脱を備える。部分領域のネット要素は、好ましくは、部分領域の外側のネット要素の平均引き裂き抵抗から、少なくとも１０％大きい、好ましくは少なくとも５０％大きい、有利には少なくとも１５０％大きい、好適な態様では少なくとも３００％大きい、または特に好適な態様では少なくとも５００％大きい引き裂き抵抗を少なくとも部分的に有する。この代わりとして、またはそれに追加して、部分領域のネット要素の引き裂き抵抗は、少なくとも部分的に、部分領域の外側のネット要素の平均引き裂き抵抗よりも少なくとも５００％、好ましくは少なくとも３００％、有利には少なくとも１５０％、好適な態様では少なくとも５０％、または特に好適な態様では少なくとも１０％小さくすることができる。
【００１６】
防護ネットの主延在方向に平行な方向に内部領域よりも張り出している、特に防護ネットの少なくとも１つの部分領域の少なくとも１つのネット要素が、所定の破断点を備え、その結果として、有利なことに、衝撃があった場合に力を狙ったように誘導できることが追加で提案される。加えて、防護ネットの制御されていない引き裂きを、有利な態様で避けることができる。所定の破断点は、特に、ネット要素の残りと比較して材料を薄くした点として、例えば、手で前後に曲げた結果として、かつ、ネット要素の残りから逸脱する材料組成をもつ点として、またはそのいずれかとして、予荷重点として実現できる。
【００１７】
防護ネットの主延在方向に平行な方向に、内部領域よりも、特に内部領域の全延在長さよりも張り出している、防護ネットの少なくとも１つの部分領域、特に防護ネットの外側領域、のうちの少なくとも１つのネット要素が、少なくとも、部分領域の外側のネット要素の材料組成、特に平均材料組成とは実質的に異なる材料組成を有することも提案される。特に、結果として、荷重下にあるときに有利な防護ネットにおける力の分散を可能にすることができ、その結果として、特に、少なくとも１つの動的衝撃物をキャッチするための防護ネットの少なくとも１つの捕捉特性を最適化できる。加えて、有利なことに、安定性も高めることができる。他の材料組成とは「実質的に異なる」材料組成とは、特に、部分領域のネット要素が、少なくとも、部分領域の外側のネット要素の材料組成、特に平均材料組成の同じ分子および原子または分子もしくは原子の質量分率から、少なくとも０．１重量％、好ましくは少なくとも０．５重量％、有利には少なくとも１重量％、好適な態様では少なくとも１０重量％、または特に好適な態様では少なくとも９９重量％、原子および／または分子主成分の質量分率が逸脱する材料組成を有することを意味することとする。「原子および／または分子主成分」とは、特に、製造の場合に、特に少なくとも１つの材料特性に影響を与えることを目的として、材料に狙ったように添加される元素および分子または元素もしくは分子として理解されるべきである。特に、ネット要素が、さまざまな材料を有する異なる構成要素からなることが考えられる。有利なことに、（特に部分領域の）ネット要素は、例えばプラスチック材料の、コーティングを備えることができるであろう。少なくとも１つのネット要素が複数のワイヤストランドを含むことが追加で考えられる。ワイヤストランドは、同じ材料の同一のワイヤから実現できる。この代わりとして、ワイヤストランドは、特にさまざまな材料組成をもつ異なるワイヤから少なくとも部分的に実現できる。
【００１８】
防護ネットの主延在方向に平行な方向に、内部領域よりも、特に内部領域の全延在長さよりも張り出している、防護ネットの少なくとも１つの部分領域、特に防護ネットの外側領域、のうちの少なくとも１つのネット要素が、少なくとも１つのワイヤ巻線、特にワイヤストランド巻線を備え、その径が、部分領域の外側のネット要素のワイヤ巻線、特にワイヤストランド巻線の平均ワイヤ径よりも実質的に大きいことが追加で提案される。特に、結果として、荷重下にあるときに有利な防護ネットにおける力の分散を可能にすることができ、その結果として、特に、少なくとも１つの動的衝撃物をキャッチするための防護ネットの少なくとも１つの捕捉特性を最適化できる。加えて、有利なことに、安定性も高めることができる。「ワイヤ巻線」とは、特に、ネット要素の外周を確実に一度描くフィラメントの、特にワイヤの、少なくとも一部として理解されるべきである。「ワイヤストランド巻線」とは、特に、ネット要素の外周を確実に一度描くワイヤストランドの少なくとも一部として理解されるべきである。「平均ワイヤ径」とは、特に、特に部分領域の外側の、防護ネットのネット要素の中から無作為に選択された複数の（好ましくは全部の）ネット要素の、特にワイヤを通る垂直断面におけるワイヤ径の平均値として理解されるべきである。ワイヤ径は、好ましくは、フィラメント（特にワイヤ）の断面の周りに配置でき、かつ、この場合には、フィラメント（特にワイヤ）を完全に取り囲む、最小の円の径である。「平均ワイヤストランド径」とは、特に、特に部分領域の外側の、防護ネットのネット要素の中から無作為に選択された複数の（好ましくは全部の）ネット要素の、特にワイヤを通る垂直断面における、ワイヤストランド径の平均値として理解されるべきである。ワイヤストランド径は、好ましくは、ワイヤストランドの断面の周りに配置でき、かつ、この場合には、すべてのワイヤ巻線を完全に取り囲む最小の円の径である。「実質的に大きい」という用語は、この状況において、特に、径が少なくとも１０％、好ましくは少なくとも２０％、有利には少なくとも３０％、好適な態様では少なくとも５０％、特に好適な態様では少なくとも１００％大きいこととして理解されるべきである。
【００１９】
防護ネットの主延在方向に平行な方向に、内部領域よりも、特に内部領域の全延在長さよりも張り出している、防護ネットの少なくとも１つの部分領域、特に防護ネットの外側領域、のうちの少なくとも１つのネット要素が、少なくともある数のワイヤ巻線、特にワイヤストランド巻線を備えており、これは、部分領域の外側のネット要素のワイヤ巻線（特にワイヤストランド巻線）の平均数から実質的に逸脱していることが追加で提案される。特に、結果として、荷重下にあるときに有利な防護ネットにおける力の分散を可能にすることができ、その結果として、特に、少なくとも１つの動的衝撃物をキャッチするための防護ネットの少なくとも１つの捕捉特性を最適化できる。加えて、有利なことに、安定性も高めることができる。「ワイヤ巻線の平均数」とは、特に、特に部分領域の外側の、防護ネットのネット要素の中から無作為に選択された複数の（好ましくは全部の）ネット要素のワイヤ巻線の数の平均値として理解されるべきである。「ワイヤストランド巻線の平均数」とは、特に、特に部分領域の外側の、防護ネットのネット要素の中から無作為に選択された複数の（好ましくは全部の）ネット要素のワイヤストランド巻線の数の平均値として理解されるべきである。「実質的な逸脱」とは、この状況において、特に、部分領域の少なくとも１つのネット要素のある数のワイヤ巻線、特にワイヤストランド巻線が、部分領域の外側のワイヤ巻線（特にワイヤストランド巻線）の平均数から、少なくとも２００％、好ましくは少なくとも１００％、好適な態様では少なくとも５０％、特に好適な態様では少なくとも１０％逸脱していることとして理解されるべきである。特に、部分領域のすべてのネット要素は、実質的に同一の逸脱を備えることができる。この代わりとして、部分領域のネット要素は、少なくとも部分的に異なる逸脱を備える。部分領域のネット要素のワイヤ巻線、特にワイヤストランド巻線の数は、好ましくは、部分領域の外側のネット要素のワイヤ巻線、特にワイヤストランド巻線の数よりも、少なくとも部分的に、少なくとも１０％大きく、好ましくは少なくとも５０％大きく、好適な態様では少なくとも１００％大きく、特に好適な態様では少なくとも２００％大きい。この代わりとして、またはそれに追加して、部分領域のワイヤ巻線、特にワイヤストランド巻線の数は、少なくとも部分的に、部分領域の外側のネット要素のワイヤ巻線、特にワイヤストランド巻線の数よりも少なくとも２００％小さく、好ましくは少なくとも１００％小さく、好適な態様では少なくとも５０％小さく、または特に好適な態様では少なくとも１０％小さくすることができる。
【００２０】
防護ネットの主延在方向に平行な方向に、内部領域よりも、特に内部領域の全延在長さよりも張り出している、防護ネットの少なくとも１つの部分領域、特に防護ネットの外側領域、のうちの少なくとも１つのネット要素が、少なくとも１つのエネルギー吸収材を備えることが追加で提案される。特に、結果として、荷重下にあるときに有利な防護ネットにおける力の分散を可能にすることができ、その結果として、特に、少なくとも１つの動的衝撃物をキャッチするための防護ネットの少なくとも１つの捕捉特性を最適化できる。加えて、有利なことに、安定性も高めることができる。「エネルギー吸収材」とは、特に、特に動的衝撃物が防護ネットに衝突するときに、動的衝撃物の運動エネルギーの少なくとも一部を、運動エネルギーとは異なる少なくとも１つのエネルギー形態、例えば位置エネルギーおよび熱エネルギーの両方または一方、特に変形エネルギーおよび内部摩擦の両方または一方に変換するために提供される要素として理解されるべきである。特に、少なくとも１つのねじりばねを含むことのできるエネルギー吸収材は、特に、少なくとも２つのネット要素間、および少なくとも１つのネット要素と少なくとも１つのサスペンション（例えばケーブル）との間、の両方または一方に配列できる。
【００２１】
エネルギー吸収材が、少なくとも１つのネット要素と一体的に実現されることが追加で提案される。結果として、有利なことに、特にエネルギー吸収材の、単純な設計を可能にすることができる。加えて、有利なことに、エネルギー吸収材の単純な組み立てと防護ネットへの統合との両方または一方を可能にすることができる。特に、エネルギー吸収材は、少なくとも部分的に、波形にして縮れを付けるかまたは波形にするかもしくは縮れを付け、特に荷重下で伸長するために設けられるネット要素として実現できる。この代わりとして、ネット要素の少なくとも一部が、ねじりばねとして曲げられてねじりばねに置き換えられること、またはねじりばねとして曲げられるかもしくはねじりばねに置き換えられることが考えられる。
【００２２】
少なくとも１つのネット要素、特に、防護ネットの主延在方向に平行な方向に、内部領域よりも、特に内部領域の全延在長さよりも張り出している、防護ネットの少なくとも１つの部分領域、好ましくは防護ネットの外部領域のネット要素が、隣接ネット要素に対して確実に３つの連結領域を実現することも提案される。結果として、特に、防護ネットの有利な設計を可能にすることができ、その結果として、有利なことに、特に防護ネットに動的衝撃物をキャッチすることに関して、安全性を向上させることができる。有利な設計によって、動的衝撃物を確実に捕捉できるキャッチエリアは、有利なことに、特にキャッチエリアを動的衝撃物の衝撃後に有利に大きくしておけることによって、拡大できる。「連結領域」とは、特に、防護ネットにおいて同心状に重ねて配置されるネット要素およびネット部材の、またはネット要素もしくはネット部材の、特にネット要素の束の領域として理解されるべきであり、ネット要素およびネット部材またはネット要素もしくはネット部材、特にネット要素の束が、特に組み立て済みの防護ネットにおいて、少なくとも１つの隣接ネット要素および／または少なくとも１つの隣接ネット部材および／または少なくとも１つのネット要素の束と重なる。ネット要素および隣接ネット要素またはネット要素もしくは隣接ネット要素は、特に、単一のネット要素およびネット部材として、またはネット要素もしくはネット部材として、特にネット要素の束として実現できる。ネット要素およびネット部材またはネット要素もしくはネット部材、特にネット要素の束は、好ましくは、連結領域で確実に１つのネット要素および確実に１つのネット部材と、または確実に１つのネット要素もしくは確実に１つのネット部材と、特に確実に１つのネット要素の束と重なる。特に防護ネットが広げられた状態では、連結領域のうちの少なくとも２つは、好ましくは、ネット要素に対して互いに正反対に位置付けて配列される。特に、連結領域は、それぞれ重心を備える。連結領域の重心は、確実に３つの連結領域を備えるネット要素の中心点から見たときに、特に防護ネットが広げられた状態のときに、互いに対して３０°よりも大きい、好ましくは４５°よりも大きい、有利には６０°よりも大きい、好適な態様では７５°よりも大きい、特に好適な態様では８５°よりも大きい角度で配列される。特に、ネット要素の各連結領域は、ネット要素の各別の連結領域への重なりなく実現される。確実に３つの連結領域でネット要素に隣接している防護ネットの少なくとも１つの別のネット要素は、好ましくは、特に防護ネットが完全に広げられた状態のときに、確実に３つの連結領域を備える。確実に３つの連結領域でネット要素に隣接している防護ネットの少なくとも２つの追加の別のネット要素は、好適な態様では、特に防護ネットが完全に広げられた状態のときに、確実に３つの連結領域を備える。
【００２３】
本発明による少なくとも１つの防護ネットを有するロープネット構造物が、さらに提案される。結果として、有利なことに、衝撃があった場合に高度な安全性および有利な挙動の両方または一方を達成できる。ロープネット構造物は、好ましくは、ワイヤネットおよびワイヤロープの構造である。ロープネット構造物は、例えば、落石保護設備、モータースポーツ用防壁、捕捉柵、道路用防護ネットおよび／または鉄道用防護ネット、雪崩ネット、弾丸キャッチネット（ｂｕｌｌｅｔ ｃａｔｃｈ ｎｅｔ）、車両用防護柵、特に航空機用防護柵、テストトラック用防護ネットまたは同様なものとすることができる。
【００２４】
ロープネット構造物は、有利なことに、防護ネットの少なくとも１つの外縁に、防護ネットの主延在方向に平行に延びている列状のネット要素の少なくとも３つおきのネット要素、好ましくは１つおきのネット要素、好適な態様では各ネット要素を通して案内される、少なくとも１つのガイドロープを備える。ガイドロープは、有利なことに、ネット要素の動きの自由度を決定する。結果として、特に衝撃がある場合には、特に防護ネットのネット要素の少なくとも一部を誘導的に変位させる結果として、衝撃の有利な緩衝を可能にすることができる。ガイドロープは、特にワイヤロープとして実現される。ガイドロープは、特に、ケーブルネット構造の少なくとも１つの支柱、好ましくは少なくとも２つの支柱に連結される。特に、支柱は、防護ネットを保持して吊り下げるために、または防護ネットを保持するかもしくは吊り下げるために設けられる。支柱は、好ましくは、少なくとも片側を、基盤および壁の両方または一方、好ましくは岩壁に固着できる。特に好適な態様では、支柱の主延在長さは、特に固着点から、実質的に重力の方向に対して垂直に、基盤および壁の両方または一方、好ましくは岩壁に固着された状態で延びる。「少なくとも３つおき」という用語は、特に、隣接ネット要素の列において、特に防護ネットの外縁で、それを通過するガイドロープのない各ネット要素が、やはりそれを通過するガイドロープのないその列の隣接ネット要素を１つだけ備えることとして理解されるべきである。特に、ネット要素の列には、それを通過するガイドロープがない３連続の隣接ネット要素がない。「少なくとも１つおき」とは、特に、隣接ネット要素の列において、特に防護ネットの外縁で、それを通過するガイドロープのない各ネット要素が、ガイドロープが通過する列の隣接ネット要素のみを備えることと理解されるべきである。特に、ネット要素の列には、それを通過するガイドロープがない２連続の隣接要素がない。防護ネットの外縁は、特に、隣接ネット要素のないネット要素の最外列の側によって実現される。ロープネット構造物は、好ましくは、互いに異なる少なくとも２つの外縁に少なくとも１本のガイドロープを備える。
【００２５】
ガイドロープが、特に、防護ネットを支えるために、ならびに／または、特に礫および少なくとも１つの別の動的衝撃物または礫もしくは少なくとも１つの別の動的衝撃物の結果として荷重を受ける場合に、荷重の少なくとも実質的な部分を吸収するために、かつそれを好ましくは少なくとも１つの支柱に伝達するために、または、荷重の少なくとも実質的な部分を吸収するために、もしくはそれを好ましくは少なくとも１つの支柱に伝達するために設けられる、少なくとも１本のサポートロープとして実現されることが追加で提案される。結果として、特にケーブルおよび別の追加のサスペンションの両方または一方を通す追加のガイドロープなしで済ませられるようになることによって、有利なことに、単純な設計を達成できる。結果として、有利なことに、特に組み立てコストおよび材料コストの両方または一方を節約できる。サポートロープは、好ましくは、ワイヤロープとして実現される。加えて、サポートロープを少なくとも２本のサポートロープからなるケーブル束として実現することも考えられ、その結果として、安全性および安定性の両方または一方をさらに改善できる。
【００２６】
本発明による防護ネットは、有利なことに、キャッチネットとしてロープネット構造物で使用できる。ロープネット構造物は、好ましくは、特にケーブル（好ましくはサポートロープ）およびシャックルの両方または一方によってまとめて連結される、複数の防護ネットを含む。
【００２７】
本発明による防護ネットは、これに関連して、上述した用途および実施形態に制限されるものではない。特に、本発明による防護ネットは、本明細書で述べる動作原理を満たすために、本明細書に指定される数から逸脱する、ある数の個々の要素、構成要素およびユニットを備えることができる。
【００２８】
以下の図面の説明からさらなる利点が提示される。本発明の６つの例示的な実施形態を図面に示す。図面、説明および特許請求の範囲は、多数の特徴を組み合わせで含む。また、専門家は、個別に都合のよいように特徴に注目し、目的に合ったさらなる組み合わせを作るためにそれらを組み合わせるであろう。加えて、前記開示で指定される値の範囲の場合、指定される限界内にある値も、開示される通りに、また任意に適用可能なように適用される。
【００２９】
図面は以下の通りである。
【図面の簡単な説明】
【００３０】
【図１】防護ネットの模式上面図。
【図２】別例の防護ネットの模式上面図。
【図３】更なる別例の防護ネットの模式上面図。
【図４】防護ネットの一部のネット要素を通る模式断面図。
【図５】防護ネットを有するロープネット構造物の一部の模式上面図。
【図６】所定の破断点を有するネット要素の一部の模式図。
【図７】エネルギー吸収材を有する別例のネット要素の模式図。
【図８】別例の防護ネットの一部のネット要素を通る模式断面図。
【図９】更なる別例の防護ネットの一部のネット要素を通る模式断面図。
【図１０】更なる別例の防護ネットの一部のネット要素を通る模式断面図。
【図１１】第２の更に別例の防護ネットの模式上面図。
【発明を実施するための形態】
【００３１】
図１は、防護ネットを示す。防護ネットは、主延長面２８ａに沿って広げられている。防護ネットは、重荷重をキャッチするために役立つ。防護ネットは、ネット要素１０ａから形成される。ネット要素１０ａは、リング１０２ａとして実現される。ネット要素１０ａは、実質的に同一に実現される。ネット要素１０ａは、ネット要素径８８ａを備える。ネット要素１０ａは、隣接ネット要素１０ａに係合する。相互連結している２つのネット要素１０ａは、連結領域５６ａ、５８ａ、６０ａを実現する。防護ネットの少なくとも１つのネット要素１０ａは、隣接ネット要素１０ａと、確実に３つの連結領域５６ａ、５８ａ、６０ａを実現する。ネット要素１０ａは、防護ネットの主延在方向１４ａに対して垂直に、ネット要素１０ａの隣り合う列を実現する。列状のネット要素１０ａは、互いに対して重なりがない。ある列のネット要素１０ａは、隣接する列のネット要素１０ａと重なる。ある列のネット要素１０ａは、隣接する列のネット要素１０ａに係合する。少なくとも１つのネット要素１０ａが所定の破断点４０ａ（図６を参照）を備えることが考えられる。
【００３２】
防護ネットは、外部領域１８ａを備える。外部領域１８ａは、ネット要素１０ａの最外列１６ａを含む。外部領域１８ａは、２列のネット要素１０ａを含む。外部領域１８ａは、ネット要素１０ａの最外列１６ａのすべてのネット要素１０ａにわたって延びている。外部領域１８ａは、最外列１６ａとは異なるネット要素１０ａの別の列９０ａのすべてのネット要素１０ａにわたって延びている。防護ネットは、最大全延在長さ９４ａを備える。最大全延在長さ９４ａは、防護ネットの主延在方向１４ａに平行に延びている。防護ネットは、外部領域１８ａの内側にある、最大全延在長さ１２ａを備える。防護ネットの、外部領域１８ａの内側にある最大全延在長さ１２ａおよび最大全延在長さ９４ａは、互いに同一である。
【００３３】
防護ネットは、別の外部領域２６ａを備える。別の外部領域２６ａは、外部領域１８ａとは別に実現される。別の外部領域２６ａおよび外部領域１８ａは、互いへの重なりがない。別の外部領域２６ａは、ネット要素１０ａの別の最外列９６ａのすべてのネット要素１０ａにわたって延びている。別の外部領域２６ａは、別の最外列９６ａとは異なるネット要素１０ａの追加列９８ａのすべてのネット要素１０ａにわたって延びている。防護ネットは、別の外部領域２６ａの内側にある、最大全延在長さ７０ａを備える。防護ネットの、別の外部領域２６ａの内側にある最大全延在長さ７０ａおよび最大全延在長さ９４ａは、互いに同一である。
【００３４】
防護ネットは、内部領域２２ａを備える。内部領域２２ａは、外部領域１８ａおよび別の外部領域２６ａへの重なりはない。内部領域２２ａは、ネット要素１０ａの内側列９２ａを含む。内部領域２２ａは、内側列９２ａに隣接する、ネット要素１０ａの別の内側列１１８ａを含む。内側列９２ａは、防護ネットの中央にある。内側列９２ａは、最外列１６ａと別の最外列９６ａとの間にある。防護ネットは、最小全延在長さ１００ａを備える。最小全延在長さ１００ａは、防護ネットの主延在方向１４ａに平行に延びる。防護ネットは、内部領域２２ａの内側にある、最小全延在長さ２０ａを備える。防護ネットの、内部領域２２ａの内側にある最小全延在長さ２０ａおよび最小全延在長さ１００ａは、互いに同一である。外部領域１８ａ、２６ａの内側にある最大全延在長さ１２ａおよび最大全延在長さ９４ａの両方または一方は、防護ネットの、内部領域２２ａの内側にある最小全延在長さ２０ａおよび最小全延在長さ１００ａの両方または一方よりも大きい。防護ネットの、外部領域１８ａ、２６ａの内側にある最大全延在長さ１２ａおよび最大全延在長さ９４ａの両方または一方は、防護ネットの、内部領域２２ａの内側にある最小全延在長さ２０ａおよび最小全延在長さ１００ａの両方または一方よりも、少なくとも防護ネットのネット要素１０ａの平均径の分だけ大きい。図１に図示する例示的な実施形態において、ネット要素１０ａの平均径は、ネット要素の径８８ａに一致する。最大全延在長さ１２ａ、９４ａと最小全延在長さ２０ａ、１００ａとのサイズの差は、ネット要素の径８８ａの４倍よりも大きい。少なくとも１つのネット要素１０ａが、外部領域１８ａ、別の外部領域２６ａおよび／または内部領域２２ａに所定の破断点４０ａを備えることが考えられる。
【００３５】
防護ネットは、２つの鏡面３０ａ、３２ａを備える。鏡面３０ａ、３２ａは、防護ネットの主延長面２８ａに対して垂直に配列される。ある鏡面３０ａは、主延在方向１４ａに対して垂直である。ある鏡面３２ａは、主延在方向１４ａに平行である。ネット要素１０ａは、鏡面３０ａ、３２ａに対して鏡面対称状に配列される。防護ネットは、主延長面２８ａに存在する方向に、主延在方向１４ａに対して垂直な一定の全延在長さ１０４ａを備える。
【００３６】
防護ネットは、防護ネットの主延在方向１４ａに平行な方向に、内部領域２２ａの最小全延在長さ２０ａよりも張り出している、４つの部分領域３４ａ、３６ａ、４２ａ、４４ａを備える。部分領域３４ａ、３６ａ、４２ａ、４４ａは、６つのネット要素１０ａを備える。防護ネットの部分領域３４ａ、３６ａ、４２ａ、４４ａは、防護ネットの主延在方向１４ａに列状に並んで配列されているある数のネット要素１０ａを備え、これは、防護ネットの主延在方向１４ａに対して垂直に並んで配列されているネット要素１０ａの全列の最大数の１７分の２に対応する。防護ネットの部分領域３４ａ、３６ａ、４２ａ、４４ａは、防護ネットの主延在方向１４ａに対して垂直に列状に並んで配列されているある数のネット要素１０ａを備え、これは、防護ネットの主延在方向１４ａに対して垂直に並んで配列されているネット要素１０ａの全列の最大数の１７分の２に対応する。防護ネットの部分領域３４ａ、３６ａ、４２ａ、４４ａは、ネット要素１０ａの三角形配列４６ａを備える。この代わりとして、部分領域３４ａ、３６ａ、４２ａ、４４ａのうちの少なくとも１つは、三角形配列４６ａから逸脱した配列、例えば少なくとも長方形配列１２０ａ（図２を参照）、および少なくとも部分的に多角形配列、の両方または一方を備えることができる。試行試験において、防護ネットの部分領域３４ａ、３６ａ、４２ａ、４４ａのネット要素１０ａは、部分領域３４ａ、３６ａ、４２ａ、４４ａの外側のネット要素１０ａの平均引き裂き抵抗から逸脱した引き裂き抵抗を有する。この代わりとして、すべてのネット要素１０ａが、試行試験で、実質的に同一の引き裂き抵抗を有することができる。少なくとも１つのネット要素１０ａが、部分領域３４ａ、３６ａ、４２ａ、４４ａのうちの少なくとも１つにおいて所定の破断点４０ａを備えることが考えられる。この代わりとして、防護ネットは、メッシュ網１２２ａ（図３を参照）として実現できる。メッシュ網１２２ａは、相互に係合する螺旋体１２４ａから実現される。端部において、螺旋体１２４ａは、ループ１２６ａを形成する少なくとも１つの結び目１２８ａを備える。隣接する螺旋体１２４ａのループ１２６ａは、噛み合う。螺旋体１２４ａから実現される防護ネットは、防護ネットの主延在方向１４ａに平行な方向に、内部領域２２ａの最小全延在長さ２０ａよりも張り出している、４つの部分領域３４’ａ、３６’ａ、４２’ａ、４４’ａを備える。螺旋体１２２ａから実現される防護ネットの部分領域３４’ａ、３６’ａ、４２’ａ、４４’ａは、ネット要素１０ａの長方形配列１２０’ａを備える。
【００３７】
図４は、断面中心線Ａ（図１を参照）に沿って防護ネットの一部を通る断面を示す。図４の左側に図示するネット要素１０ａは、部分領域３６ａの内側にある。図４の右側に図示するネット要素１０ａは、部分領域３６ａの外側にある。図４に図示するネット要素１０ａは、ワイヤロープ１０６ａとして実現される。ネット要素１０ａは、ネット要素断面径８６ａを備える。ネット要素断面径８６ａは、ネット要素１０ａの外周７２ａにわたり一定である。ワイヤロープ１０６ａは、複数のワイヤ巻線４８ａを備える。ワイヤ巻線４８ａは、ワイヤ径２４ａを備える。ワイヤ径２４ａは、ネット要素１０ａの外周７２にわたり一定である。ネット要素断面径８６ａは、ワイヤ径２４ａの倍数に対応する。ネット要素１０ａは、ワイヤストランド１０８ａを備える。ワイヤストランド１０８ａは、１９本のワイヤ巻線４８ａを備える。ワイヤストランド１０８ａは、ワイヤストランド径５２ａを備える。ワイヤストランド径５２ａは、ネット要素１０ａの外周７２ａにわたり一定である。ネット要素断面径８６ａは、ワイヤストランド径５２ａの倍数に対応する。ネット要素１０ａは、７本のワイヤストランド巻線５０ａを備える。
【００３８】
図５は、防護ネットを有するロープネット構造物６２ａの一部を示す。防護ネットは、ロープネット構造物６２ａにおいてキャッチネット７４ａとして使用される。キャッチネット７４ａは、キャッチネット７４ａのキャッチエリア３８ａに動的衝撃物をキャッチするために設けられる。キャッチネット７４ａは、動的衝撃物の主衝撃方向がキャッチエリア３８ａに対して垂直になるように位置付けられる。動的衝撃物の主衝撃方向は、図５の画像面に向かう方向、または画像面から出る方向に向く。部分領域３４ａ、３６ａ、４２ａ、４４ａのネット要素１０ａは、組み立てられた非荷重状態でくっつけられる。主延在方向１４ａにおいて外側にある防護ネットのネット要素１０ａは、少なくとも部分的にシャックル８２ａを備える。防護ネットのネット要素１０ａは、別の隣接する防護ネットのネット要素１０ａとシャックル８２ａで繋がれる。ロープネット構造物６２ａは、支柱８０ａを備える。ロープネット構造物６２ａは、壁固着要素７８ａを備える。壁固着要素７８ａは、支柱８０ａを壁７６ａに固着するために設けられる。
【００３９】
ロープネット構造物６２ａは、第１ガイドロープ６４ａを備える。第１ガイドロープ６４ａは、壁７６ａから、特に壁固着要素７８ａから離れた防護ネットの側に配列される。第１ガイドロープ６４ａは、壁７６ａから、特に壁固着要素７８ａから離れた支柱８０ａの側に配列される。第１ガイドロープ６４ａは、支柱８０ａに連結される。ロープネット構造物６２ａは、第２ガイドロープ８４ａを備える。第２ガイドロープ８４ａは、壁７６ａから、特に壁固着要素７８ａから離れた防護ネットの側に配列される。第２ガイドロープ８４ａは、壁７６ａから、特に壁固着要素７８ａから離れた支柱８０ａの側に配列される。第２ガイドロープ８４ａは、支柱８０ａに連結される。
【００４０】
防護ネットは、防護ネットの主延在方向１４ａに対して垂直な方向に２つの外縁６６ａ、１１０ａを備える。外縁６６ａ、１１０ａ上のネット要素が、２つの最外列１６ａ、９６ａを形成する。第１ガイドロープ６４ａは、最外列１６ａのネット要素１０ａに通して案内される。第２ガイドロープ８４ａは、別の最外列９６ａのネット要素１０ａに通して案内される。第１ガイドロープ６４ａは、サポートロープ６８ａとして実現される。第２ガイドロープ８４ａは、サポートロープ６８ａとして実現される。
【００４１】
図７〜図１１は、本発明の５つのさらなる例示的な実施形態を示す。以下の説明および図面は、実質的にこれらの例示的実施形態間の相違点に限られているが、原則として、同一の呼称が付けられた構成要素に関して、特に同一の参照符号の付いた構成要素に関しては、特に図１〜図６の、他の例示的な実施形態の図面および説明または図面もしくは説明も参照できる。これらの例示的な実施形態を区別するために、図１〜図６の例示的な実施形態の参照符号の後に文字ａを付けている。文字ａは、図７〜図１１の例示的な実施形態において、文字ｂ〜ｆに置き換えられる。
【００４２】
図７は、ネット要素１０ｂを示す。ネット要素１０ｂは、エネルギー吸収材５４ｂを備える。エネルギー吸収材５４ｂは、ネット要素１０ｂと一体的に実現される。エネルギー吸収材５４ｂは、ネット要素１０ｂの波形領域として実現される。この代わりとして、エネルギー吸収材５４ｂは、特にネット要素１０ｂのらせん形にねじられた領域として、かつ、ネット要素１０ｂの残りから逸脱する材料（特に高弾力性の材料）を有する領域として、またはそのいずれかとして、実現できるであろう。ネット要素１０ｂは、別のエネルギー吸収材１１２ｂを備える。別のエネルギー吸収材１１２ｂは、ネット要素１０ｂとは別個に実現される。別のエネルギー吸収材１１２ｂは、２つの隣接する重なり合わないネット要素１０ｂ間に配列される。別のエネルギー吸収材１１２ｂは、高弾力性の湾曲要素として実現される。エネルギー吸収材５４ｂ、１１２ｂを有するネット要素１０ｂは、防護ネットの部分領域３４ｂ、３６ｂ、４２ｂ、４４ｂに配列される。この代わりとして、エネルギー吸収材５４ｂ、１１２ｂを有するネット要素１０ｂを、部分領域３４ｂ、３６ｂ、４２ｂ、４４ｂとは異なる防護ネットの領域、例えば、内部領域２２ｂ、および部分領域３４ｂ、３６ｂ、４２ｂ、４４ｂとは異なる防護ネットの外部領域１８ｂ、２６ｂの領域、の両方または一方に配列することが考えられる。
【００４３】
図８に断面図で図示する防護ネットの詳細図は、２つのネット要素１０ｃを示す。図８の左側に図示されるネット要素１０ｃは、部分領域３６ｃの内側にある。図８の右側に図示されるネット要素１０ｃは、部分領域３６ｃの外側にある。部分領域３６ｃの内側のネット要素１０ｃは、部分領域３６ｃの外側のネット要素１０ｃのワイヤ巻線４８ｃの数から逸脱する、ある数のワイヤ巻線４８ｃを備える。部分領域３６ｃの内側のネット要素１０ｃは、部分領域３６ｃの外側のネット要素１０ｃよりも多くの数のワイヤ巻線４８ｃを備える。この代わりとして、部分領域３６ｃの内側のネット要素１０ｃが部分領域３６ｃの外側のネット要素１０ｃよりも少ない数のワイヤ巻線４８ｃを備えることが考えられる。ネット要素１０ｃは、ワイヤストランド１０８ｃを備える。ワイヤストランド１０８ｃは、複数のワイヤストランド巻線５０ｃを備える。ワイヤストランド巻線５０ｃは、ワイヤストランド径５２ｃを備える。部分領域３６ｃ内のネット要素１０ｃのワイヤストランド径５２ｃは、部分領域３６ｃの外側のネット要素１０ｃのワイヤストランド径５２’ｃよりも大きい。この代わりとして、部分領域３６ｃ内のネット要素１０ｃのワイヤストランド径５２ｃを、部分領域３６ｃの外側のネット要素１０ｃのワイヤストランド径５２’ｃよりも大きくすることができるであろう。
【００４４】
図９に断面図で図示する防護ネットの詳細図は、２つのネット要素１０ｄを示す。図９の左側に図示されるネット要素１０ｄは、防護ネットの部分領域３６ｄの内側にある。図９の右側に図示されるネット要素１０ｄは、部分領域３６ｄの外側にある。ネット要素１０ｄは、ワイヤ巻線４８ｄを備える。ワイヤ巻線４８ｄは、ワイヤ径２４ｄを備える。部分領域３６ｄの内側のワイヤ巻線４８ｄのワイヤ径２４ｄは、部分領域３６ｄの外側のネット要素１０ｄのワイヤ巻線４８ｄの平均ワイヤ径２４’ｄよりも大きい。この代わりとして、部分領域３６ｄの内側のネット要素１０ｄが、部分領域３６ｄの外側のネット要素１０ｄよりも小さいワイヤ巻線４８ｄのワイヤ径２４ｄを備えることが考えられる。ネット要素１０ｄは、ネット要素断面径８６ｄを備える。部分領域３６ｄの内側のネット要素１０ｄのネット要素断面径８６ｄは、部分領域３６ｄの外側のネット要素１０ｄのネット要素断面径８６’ｄよりも大きい。この代わりとして、部分領域３６ｄの内側のネット要素１０ｄのネット要素断面径８６ｄを、部分領域３６ｄの外側のネット要素１０ｄのネット要素断面径８６’ｄよりも小さくすることができるであろう。
【００４５】
図１０に断面図で図示される防護ネットの詳細図は、２つのネット要素１０ｅを示す。図１０の左側に図示されるネット要素１０ｅは、防護ネットの部分領域３６ｅの内側にある。図１０の右側に図示されるネット要素１０ｅは、部分領域３６ｅの外側にある。部分領域３６ｅ内のネット要素１０ｅは、材料組成１１４ｅを備える。部分領域３６ｅ内のネット要素１０ｅの材料組成１１４ｅは、部分領域３６ｅの外側のネット要素１０ｅの材料組成１１４’ｅとは異なる。
【００４６】
図１１は、ネット要素１０ｆを有する防護ネットを示す。ネット要素１０ｆは、外周７２ｆを備える。ネット要素１０ｆは、外形１１６ｆを備える。防護ネットの部分領域３４ｆ、４２ｆの内側のネット要素１０ｆの外周７２’ｆ、７２”ｆは、部分領域３４ｆ、４２ｆの外側のネット要素１０ｆの平均外周７２ｆから実質的に逸脱している。部分領域３４ｆ内のネット要素１０ｆの外周７２’ｆは、部分領域３４ｆの外側のネット要素１０ｆの外周７２ｆ、７２”ｆよりも小さい。部分領域４２ｆ内のネット要素１０ｆの外周７２”ｆは、部分領域４２ｆの外側のネット要素１０ｆの外周７２ｆ、７２’ｆよりも大きい。部分領域３４ｆ、４２ｆ内のネット要素１０ｆの外形１１６’ｆ、１１６”ｆは、部分領域３４ｆ、４２ｆの外側のネット要素１０ｆの平均外形１１６ｆから実質的に逸脱している。
【図１】
2020535338.tif 000003
【図２】
2020535338.tif 000004
【図３】
2020535338.tif 000005
【図４】
2020535338.tif 000006
【図５】
2020535338.tif 000007
【図６】
2020535338.tif 000008
【図７】
2020535338.tif 000009
【図８】
2020535338.tif 000010
【図９】
2020535338.tif 000011
【図１０】
2020535338.tif 000012
【図１１】
2020535338.tif 000013
【国際調査報告】
2020535338.tif 000014
2020535338.tif 000015
2020535338.tif 000016
2020535338.tif 000017